(57)【要約】【課題】洗面台用の空間をキッチンの一部として有効利用することができるキッチンユニットを提供する。【解決手段】キッチンユニット１は、調理用流し台３と加熱調理器たるコンロ４とを有するキャビネット２と、このキャビネット２に隣接して設けられた洗面台５と、この洗面台５を覆い、キャビネット２に連続して設置される移動自在なワゴン６と、を主に備えている。【選択図】図１
0003134507.tif 000002
【実用新案登録請求の範囲】
【請求項１】
調理用流し台と加熱調理器とを有するキャビネットと、
前記キャビネットに隣接して設けられた洗面台と、
前記洗面台を覆い、前記キャビネットに連続して設置される移動自在なワゴンと、
を備えることを特徴とするキッチンユニット。
【請求項２】
前記ワゴンは、前記洗面台を収容する洗面台収容部を有するとともに、前記洗面台収容部に対して前記洗面台を挿脱するための開口部を有することを特徴とする請求項１に記載のキッチンユニット。
【請求項３】
前記キャビネットは、前記洗面台を支持する支持体を有し、
前記支持体および前記ワゴンのいずれか一方には、前記ワゴンを固定するためのホルダが前記洗面台の挿脱方向に沿って突設され、
前記支持体および前記ワゴンのいずれか他方には、前記ホルダに対して離脱可能に係合する係合部が設けられていることを特徴とする請求項１または請求項２に記載のキッチンユニット。
【請求項４】
前記ワゴンは、ストッパー付きのキャスターを備えていることを特徴とする請求項１から請求項３のいずれか１項に記載のキッチンユニット。
【請求項５】
前記ワゴンの前記キャビネット側の側面および前記キャビネットの前記ワゴン側の側面の少なくともいずれか一方には、前記キャビネットと前記ワゴンとの隙間を閉塞するシール部材が設けられていることを特徴とする請求項１から請求項４のいずれか１項に記載のキッチンユニット。
【考案の詳細な説明】
【技術分野】
【０００１】
本考案は、２つの水周り機器を備えるキッチンユニットに関する。
【背景技術】
【０００２】
従来のシステムキッチンとしては、特開２００６−３２０５０４号公報に記載されているように、調理台となるカウンタ（天板）の下部に収容可能な補助テーブルワゴンを備えるものがある。
【考案の開示】
【考案が解決しようとする課題】
【０００３】
しかしながら、従来のシステムキッチンでは、流し台用のスペースと加熱調理器用のスペースの他にワゴンの収容スペースが必要となる。そのため、一人暮らし向けのワンルームマンションなど、空間の制約がある住宅にそのまま適用することが困難であった。
一方、通常の住宅では、調理用の流し台と洗面台とを別々の空間に設置することが多いが、調理をしているときに、洗面台用の空間が有効利用されていなかった。
また、従来のシステムキッチンは、調理台となるカウンタの下部に補助テーブルワゴンを収容しているので、ワゴンの高さが調理台よりも低くならざるを得ない。そのため、ワゴンを調理台として使用すると、作業位置が低くなり、作業性が悪く、腰などに負担が掛かるという問題がある。
【０００４】
本考案は、かかる問題に鑑みて創案されたものであり、洗面台用の空間をキッチンの一部として有効利用することができるキッチンユニットを提供することを課題とする。
【課題を解決するための手段】
【０００５】
本考案に係るキッチンユニットは、調理用流し台と加熱調理器とを有するキャビネットと、前記キャビネットに隣接して設けられた洗面台と、前記洗面台を覆い、前記キャビネットに連続して設置される移動自在なワゴンと、を備えることを特徴とする。
【０００６】
かかる構成によれば、キャビネットに隣接して洗面台が設けられているとともに、この洗面台を覆い、前記キャビネットに連続して設置される移動自在なワゴンを備えているので、このワゴンで洗面台を覆えばキャビネットの隣に作業スペースができ、このワゴンを移動させれば、洗面台が利用可能となる。すなわち、従来洗面台としてしか利用されていなかった空間を、調理台などの作業スペースとしても利用することができる。また、移動したワゴンは、テーブルとして利用することもできる。
また、キャビネットに隣接してワゴンが設置されるので、キャビネットとワゴンの高さを同一にすることができる。そのため、作業性が損なわれることがない。
【０００７】
また、前記ワゴンは、前記洗面台を収容する洗面台収容部を有するとともに、前記洗面台収容部に対して前記洗面台を挿脱するための開口部を有する構成とするのが好ましい。
【０００８】
かかる構成によれば、洗面台に形成された開口部から洗面台を洗面台収容部に挿入・離脱することができる。そのため、洗面台に対してワゴンをスライドさせるという簡易な操作で、キャビネットの隣にワゴンを容易に配置し、あるいは撤去することができる。
【０００９】
また、前記キャビネットは、前記洗面台を支持する支持体を有し、前記支持体および前記ワゴンのいずれか一方には、前記ワゴンを固定するためのホルダが前記洗面台の挿脱方向に沿って突設され、前記支持体および前記ワゴンのいずれか他方には、前記ホルダに対して離脱可能に係合する係合部が設けられている構成とするのが好ましい。
【００１０】
かかる構成によれば、ワゴンを固定するためのホルダが洗面台の挿脱方向に沿って突設されているので、洗面台を洗面台収容部に対して挿入・離脱する動作に応じて、ホルダと係合部とが係合・離脱することとなる。つまり、洗面台をワゴンに収容する動作に連動してワゴンがキャビネットに固定されるので、ワゴンをキャビネットに固定するための特別な動作を必要としない。また、洗面台からワゴンを離脱させる動作に連動してホルダと係合部との係合が解かれるので、ワゴンとキャビネットとの固定を解除するための特別な動作を必要としない。そのため、キャビネットに対するワゴンの着脱が容易になる。
【００１１】
また、前記ワゴンは、ストッパー付きのキャスターを備えているのが好ましい。
【００１２】
かかる構成によれば、ワゴンはストッパー付きのキャスターを備えているので、ストッパーを解除することにより、ワゴンを容易に移動させることができ、ストッパーを作動させることにより、ワゴンを移動し難くすることができる。そのため、例えばワゴンをテーブルとして利用するときに、ストッパーを作動させてワゴンの移動を防止するこができる。
【００１３】
また、前記ワゴンの前記キャビネット側の側面および前記キャビネットの前記ワゴン側の側面の少なくともいずれか一方には、前記キャビネットと前記ワゴンとの隙間を閉塞するシール部材が設けられているのが好ましい。
【００１４】
かかる構成によれば、キャビネットとワゴンとの隙間がシール部材によって閉塞されるので、キャビネットとワゴンの隙間にごみや水分が浸入することがない。そのため、ワゴンの上面を調理台として好適に利用することができる。また、キャビネット及びワゴンの側面を清潔に保つことができる。
【考案の効果】
【００１５】
本考案に係るキッチンユニットによれば、洗面台用の空間をキッチンの一部として有効利用することができる。そのため、キッチンの使い勝手、ひいては住宅全体の使い勝手が向上する。
【考案を実施するための最良の形態】
【００１６】
本考案を実施するための最良の形態について図面を参照して詳細に説明する。説明において、同一の要素には同一の符号を付し、重複する説明は省略する。
【００１７】
図１は、本実施形態に係るキッチンユニットの斜視図である。
図１に示すように、本実施形態に係るキッチンユニット１は、住宅のキッチンに取り付けられる各種設備を備えたユニットである。キッチンユニット１は、調理用流し台３（以下、単に「流し台３」という場合がある。）と加熱調理器たるコンロ４とを有するキャビネット２と、このキャビネット２に隣接して設けられた洗面台５と、この洗面台５を覆い、キャビネット２に連続して設置される移動自在なワゴン６と、を主に備えている。
キッチンユニット１は、キッチンの壁Ｗに沿って設置されている。キッチンの壁Ｗには、換気扇１１、収納棚１２、ミラー１３が設置されている。換気扇１１はコンロ４の上方に設置され、収納棚１２は流し台３の上方に設置され、ミラー１３は洗面台５の上方に設置されている。また、キッチンの床Ｙには椅子Ｃが置かれている。
【００１８】
キャビネット２は、略長方体形状を呈する箱状体であり、人の腰程度の高さに形成されている。キャビネット２の上面には、流し台３とコンロ４とが設置されている。また、キャビネット２の上面の流し台３及びコンロ４以外の部分には、例えば人口大理石からなる天板２１が設置されており、調理台として利用できるようになっている。キャビネット２の前側面には、調理用器具や食材などの収納庫２２，２２が設けられている。また、天板２１の洗面台５側の端面には、樹脂性のシール部材２３が取り付けられている（図２参照）。キャビネット２の高さ寸法は、調理し易い高さ（例えば８０ｃｍ〜９０ｃｍ程度、好ましくは８５ｃｍ程度）に設定されている。
【００１９】
調理用流し台３は、主に調理のときに食材や食器を洗ったり水を汲んだりするための設備であり、給水用の蛇口とステンレス製のシンクとを備えている。コンロ４は、主に調理のときに食材などを加熱する設備である。
なお、本実施形態では、加熱調理器としてコンロ４を例示したが、本考案はこれに限定されるものではなく、例えば電磁式のヒータ（ＩＨ調理器）であってもよい。
【００２０】
図２は、洗面台の拡大斜視図である。
洗面台５は、主に、手や顔を洗うための設備である。本実施形態では、洗面台５は、キャビネット２の左隣に設けられている。
図２に示すように、洗面台５は、洗面台本体５１と、洗面台本体５１の上部に設けられた蛇口５２と、洗面台本体５１の排水口５１ａに接続された排水管５３と、を備えている。洗面台５（より詳しく言えば洗面台本体５１）は、支持体７によってその両側部と背面部を支持されている。洗面台本体５１は、ワゴン６に収容可能なように、キャビネット２の上面から少し下がった位置に設置されている。蛇口５２は、逆Ｊ字形状を呈しており、流し台３の蛇口と同程度の高さ位置から水を吐出できるようになっている。排水管５３は、クランク状に折れ曲がっており（図４参照）、ワゴン６で洗面台５を被覆したときにワゴン６にぶつからないようになっている。
【００２１】
支持体７は、キャビネット２に隣接する位置に洗面台５およびワゴン６を設置するための設備である。図２に示すように、支持体７は、洗面台本体５１の左右側面を支持する横枠７１，７２と、洗面台本体５１の背面を支持する背面板７３と、を備えている。
横枠７１，７２は、四角柱状の部材であり、キッチンの床Ｙから壁Ｗに沿って洗面台本体５１の左右両側にそれぞれ立設されている。背面板７３は、板状の部材であり、横枠７１，７２に跨って設置されている。洗面台本体５１は、横枠７１，７２及び背面板７３に、例えばボルト・ナットなどによって固定されている。
支持体７の横枠７１，７２には、それぞれ、ワゴン６（図１参照）を固定するためのホルダ８が、上下に離間して２つずつ（合計４つ）設置されている。また、横枠７１，７２の上端部は、内側（洗面台５側）に向かって張り出しており、その間から洗面台５の蛇口５２が伸び出ている。
【００２２】
図２に示すように、ホルダ８は、側面視長方形状を呈する金属製の板状部材であり、ワゴン６の移動方向、すなわち洗面台５の挿脱方向に沿って横枠７１，７２から突出している。ホルダ８の基端部８ａは、横枠７１，７２にビスなどで固定されている。ホルダ８の先端部８ｂは、自由端になっており、後記する係合部材９と係合し易いように、洗面台５側に向かって若干折れ曲がっている（図５参照）。ホルダ８の中間部には、凹部８ｃが形成されている。凹部８ｃは、ホルダ８の側面のうち洗面台５と反対側の面が凹むように形成されている。
【００２３】
図３は、ワゴンの拡大斜視図であり、（ａ）は左前上方から見た状態、（ｂ）は左後上方から見た状態をそれぞれ示している。
ワゴン６は、キャビネット２に隣接した状態では洗面台５を被覆し、キャビネット２から離脱した状態では例えば簡易テーブルとして機能する設備である（図１参照）。
図３に示すように、ワゴン６は、略長方体状の中空の箱状体であり、その上面には、調理台となる天板６１が設置されている。天板６１は、キャビネット２の天板２１と同じ高さ位置に配置されている。天板６１は、調理台として利用できるように、例えば天板６１と同じ材料で構成されている。
ワゴン６は、その下部の四隅に、ストッパー付きのキャスター６２を備えている。
なお、ワゴン６の寸法は限定されるものではないが、例えば、高さ８５ｃｍ、幅６０ｃｍ、奥行き５０ｃｍに形成することができる。また、ワゴン６の前側面は、キャビネット２の前側面と同様のデザインにするのが好ましい。このようにすると、ワゴン６をキャビネット２に隣接して設置したときに一体感、統一感が強まり、キッチンのデザイン性を向上させることができる。
【００２４】
ワゴン６の内部は上下に区切られており、上方に洗面台収容部６３が形成され、下方に収納庫６４が形成されている。
洗面台収容部６３は、洗面台５を収容する空間であり、ワゴン６の後側面６ａに形成された開口部６３ａから洗面台５を挿脱できるようになっている。洗面台収容部６３の左右両側面には、ホルダ８と係合する係合部材９がそれぞれ取り付けられている。洗面台収容部６３の前面側は、ワゴン６が露出しないように閉塞されている。
【００２５】
収納庫６４は、ワゴン６の前側面６ｂの開口部６４ａから収容物を出し入れできるようになっている。開口部６４ａには扉６４ｂが取り付けられている。収納庫６４の左右両側面には、ホルダ８と係合する係合部材９がそれぞれ取り付けられている。また、ワゴン６の後側面６ａには、収納庫６４内に設置された係合部材９に対応して、ホルダ８を挿通させるための貫通孔６５が形成されている。
【００２６】
図３に示すように、係合部材９は、略長方形状を呈する金属製の板状部材である。係合部材９は、支持体７に突設されたホルダ８に対応する位置に設置されている。係合部材９は、洗面台５側に突出した係合部９ａを有している。この係合部９ａは、プレス装置などを用いて係合部材９をなだらかに湾曲させて形成されており、ホルダ８の凹部８ｃに対応する形状を呈している。この係合部９ａにホルダ８の凹部８ｃが係合することにより、ワゴン６が支持体７に固定されるようになっている。また、係合部９ａは、なだらかに湾曲している。
【００２７】
図４は、図５のII−II線における断面図であり、（ａ）はワゴンの取付前、（ｂ）は取付後の状態をそれぞれ示している。また、図５は、図４のＩ−Ｉ線における断面図であり、（ａ）はワゴンの取付前、（ｂ）は取付後の状態をそれぞれ示している。
ワゴン６で洗面台５を被覆するときは、図４（ａ）に示すように、洗面台収容部６３の開口部６３ａを洗面台５に向け、ワゴン６を洗面台５に向かって移動させる。そうすると、図４（ｂ）に示すように、洗面台５の洗面台本体５１と、排水管５３の一部が洗面台収容部６３の中に収容されることとなる。このとき、排水管５３は、クランク状に折れ曲がっているので、ワゴン６と干渉することがない。
【００２８】
また、ワゴン６の天板６１は、キャビネット２の天板２１と同じ高さ位置に配置されているので、両者が面一になる。そのため、キャビネット２の天板２１上で調理しているのと同じ感覚（姿勢）で、ワゴン６の天板６１上で調理を行うことができる。また、ワゴン６の天板６１とキャビネット２の天板２１との隙間がシール部材２３によってシーリングされることとなる。そのため、水分やごみなどが両者の間に入り込むことがなく、キャビネット２の側面及びワゴン６の側面を常に清潔に保つことができる。
なお、図４（ｂ）に示すように、ワゴン６を支持体７に固定したときに、ワゴン６の前側面とキャビネット２の前側面が揃うように、支持体７の横枠７１，７２の幅寸法が調整されている。そのため、キャビネット２とワゴン６の統一感、一体感が強まり、キッチンのデザイン性が向上する。
【００２９】
また、図５（ａ）に示すように、ワゴン６を洗面台５に向かって移動させると、支持体７の横枠７１，７２に突設されたホルダ８が、ワゴン６に取り付けられた係合部材９の内側面に接触する。特に、下側のホルダ８は、ワゴン６の後側面６ａに形成された貫通孔６５を通って係合部材９に接触する。
ホルダ８の先端部８ｂは、内側（洗面台５側）に折り曲げられているとともに、係合部材９の係合部９ａは、なだらかに湾曲しているので、ワゴン６を支持体７に近づけていくと、ホルダ８の先端部８ｂが弾性変形して係合部材９の係合部９ａを乗り越え、最終的には図５（ｂ）に示すように、ホルダ８の凹部８ｃが係合部材９の係合部９ａに重なり合う。これにより、ホルダ８と係合部材９が係合し、ワゴン６が支持体７に、ひいてはキャビネット２に固定される。
【００３０】
一方、支持体７からワゴン６を離脱させて洗面台５を露出させるときは、ワゴン６を手前に引っ張るように移動させる。そうすると、ホルダ８が弾性変形して係合部材９の係合部９ａを乗り越え、ホルダ８と係合部材９との係合が解かれることとなる。そして、さらにワゴン６を移動させれば、洗面台５が露出して利用可能になるとともに、ワゴン６を所望の位置に設置して例えばテーブルとして利用することができる。このとき、キャスター６２のストッパーを作用させれば、ワゴン６の不意な移動を防止することができる。
【００３１】
以上、本考案を実施するための最良の形態について図面を参照して詳細に説明したが、本考案はかかる実施形態に限定されるものではなく、本考案の主旨を逸脱しない範囲で適宜変更可能である。
【００３２】
例えば、本実施形態においては、キッチンユニット１をキッチンの壁Ｗに沿って配置したが、本考案はこのような配置に限定されるものではなく、例えばキッチンの壁Ｗから離れた位置に配置していわゆるアイランド式キッチンや、カウンタ式キッチンにしてもよい。
【００３３】
また、本実施形態では、支持体７の横枠７１，７２にホルダ８を突設し、ワゴン６に係合部材９を取り付けたが、本考案はこのような構成に限定されるものではなく、例えば、ワゴン６にホルダ８を突設し、支持体７の横枠７１，７２に係合部材９を取り付けるようにしてもよい。ワゴン６にホルダ８を設ける場合には、ホルダ８に足などをぶつけないように、例えばホルダ８を出没可能に取り付けるのが好ましい。
【００３４】
なお、ホルダ８及び係合部材９の形状、構造は、支持体７とワゴン６とを着脱可能に係合することができれば、本実施形態で説明したものに限られないことはいうまでもない。例えば、本実施形態では、ホルダ８に凹部８ｃを設け、係合部材９に凸状の係合部９ａを設けたが、これを逆にしてもよい。
【００３５】
また、本実施形態では、支持体７の横枠７１，７２の間に背面板７３を設けたが、本実施形態のようにキッチンの壁Ｗに沿ってキッチンユニット１を設置する場合は、背面板７３を省略してもよい。
【図面の簡単な説明】
【００３６】
【図１】本実施形態に係るキッチンユニットの斜視図である。
【図２】洗面台の拡大斜視図である。
【図３】ワゴンの拡大斜視図である。
【図４】図５のII−II線における断面図であり、（ａ）はワゴンの取付前、（ｂ）は取付後の状態をそれぞれ示している。
【図５】図４のＩ−Ｉ線における断面図であり、（ａ）はワゴンの取付前、（ｂ）は取付後の状態をそれぞれ示している。
【符号の説明】
【００３７】
１      キッチンユニット
２      キャビネット
３      調理用流し台
４      コンロ（加熱調理器）
５      洗面台
６      ワゴン
７      支持体
８      ホルダ
９      係合部材
９ａ    係合部
【図１】
0003134507.tif 000003
【図２】
0003134507.tif 000004
【図３】
0003134507.tif 000005
【図４】
0003134507.tif 000006
【図５】
0003134507.tif 000007